(57)【要約】【課題】インセル型のタッチパネル機能付き液晶表示装置において、センサ電極（位置検出電極）の駆動負荷を低減することにより位置検出性能を高める。【解決手段】タッチパネル機能付き液晶表示装置１において、駆動電極１３と、検知電極１２と、駆動電極用補助配線１３ａと、検知電極用補助配線１２ａとを備え、駆動電極用補助配線１３ａおよび検知電極用補助配線１２ａは、ドメイン境界６ｂに重なるように設けられている。【選択図】図２
2015187754.tif 000002
【特許請求の範囲】
【請求項１】
静電容量の変化により検出対象物の指示座標の位置を検出する、タッチパネル機能を有する液晶表示装置であって、
アクティブマトリクス基板と、対向基板と、両基板間に配された液晶層と、該液晶層に電圧を印加するための画素電極および対向電極と、上記指示座標の位置を検出するための駆動電極および検知電極と、該駆動電極に電気的に接続された駆動電極用補助配線と、該検知電極に電気的に接続された検知電極用補助配線とを備え、
各画素には、複数のドメインが形成されており、
上記駆動電極用補助配線および上記検知電極用補助配線の少なくとも何れか一方は、当該液晶表示装置を平面的に見て、上記複数のドメインの境界に重なるように設けられていることを特徴とする液晶表示装置。
【請求項２】
上記駆動電極用補助配線および上記検知電極用補助配線の線幅は、上記ドメインの境界に発生する暗線の線幅よりも狭いことを特徴とする請求項１に記載の液晶表示装置。
【請求項３】
上記駆動電極用補助配線および上記検知電極用補助配線は、当該液晶表示装置を平面的に見て、互いに直交するように配置されているとともに、
上記駆動電極用補助配線および上記検知電極用補助配線の一方は、Ｎ（Ｎは１以上かつカラーフィルタを構成する色の数以下の整数）画素ごとに等間隔に配置され、上記駆動電極用補助配線および上記検知電極用補助配線の他方は、は１画素ごとに等間隔に配置されていることを特徴とする請求項１に記載の液晶表示装置。
【請求項４】
上記画素電極および上記対向電極の少なくとも何れか一方には、上記液晶層の液晶分子の配向を制御するためのスリットが設けられていることを特徴とする請求項１に記載の液晶表示装置。
【請求項５】
上記スリットは、各画素において、画素の中心から画素の端部へ向かって放射状に形成されていることを特徴とする請求項４に記載の液晶表示装置。
【請求項６】
上記スリットは、少なくとも互いに異なる２つの方向に形成されていることを特徴とする請求項４に記載の液晶表示装置。
【請求項７】
上記画素電極および上記対向電極はそれぞれ、櫛型状に形成されており、複数の櫛歯状電極を有するとともに互いの櫛歯状電極が噛み合うように配置されていることを特徴とする請求項１に記載の液晶表示装置。
【発明の詳細な説明】
【技術分野】
【０００１】
本発明は、インセル型のタッチパネル機能を備えた液晶表示装置に関するものである。
【背景技術】
【０００２】
従来から、タッチパネルを備えた表示装置が広く利用されている。また近年では、薄型軽量化、視認性向上、および部品点数削減等のコストメリットの観点から、表示パネル内にタッチパネルを組み込んだインセル（In-Cell）型のタッチパネル機能付き表示装置（以下、単に、表示装置ともいう）が提案されている（例えば、特許文献１参照）。
【０００３】
図１５は、特許文献１に記載の表示装置の概略構成を示す断面図であり、図１６は、図１５に示すＡ−Ｂ線に沿った断面から見たセンサ電極の構成を示す平面図である。
【０００４】
図１５に示すように、特許文献１に記載の表示装置３００は、ＴＦＴ基板３０１とＣＦ基板３０２との間に液晶層３０３が挟持された表示パネル３０４を備えている。
【０００５】
ＣＦ基板３０２における絶縁基板３１１と対向電極３１９（共通電極）との間には、遮光部３１６（ＢＭ）と、隣り合う遮光部３１６間に設けられた複数の着色層３１７（ＣＦ）とからなるＣＦ層３１８が設けられている。また、ＣＦ層３１８と絶縁基板３１１との間には、センサ電極（位置検出電極）としての第１電極層３１２と第２電極層３１４とが設けられている。第１電極層３１２と第２電極層３１４との間には、絶縁層３１３が設けられている。
【０００６】
図１５および図１６に示すように、第１電極層３１２は、第１の方向に延びる直線状のライン部３１２ａと、ライン部３１２ａから膨出した膨出部３１２ｂとを有している。また、第２電極層３１４は、第１の方向に直交する第２の方向に延びる直線状のライン部３１４ａと、ライン部３１４ａから膨出した膨出部３１４ｂとを有している。
【０００７】
表示装置３００では、指や入力用のペン（検出対象物）を表示画面に接触させたときの静電容量の変化を検出することで接触位置を検出する（静電容量方式）。これにより、簡易な構成で接触位置を検出することができる。
【先行技術文献】
【特許文献】
【０００８】
【特許文献１】特開２０１０−７２５８１号公報（２０１０年４月２日公開）
【発明の概要】
【発明が解決しようとする課題】
【０００９】
しかしながら、上記表示装置３００では、第２電極層３１４と対向電極３１９との距離が狭く、また対向電極３１９は表示パネル全面にベタ状に形成されているため、第２電極層３１４と対向電極３１９との間に形成される寄生容量が大きくなり、センサ電極の駆動負荷が大きくなる。そのため、十分なＳＮ比（信号対雑音比）が得られず、タッチパネルの検出性能が低下するという問題がある。特に、表示装置を大型化すると、ＳＮ比の低下が顕著となり、タッチパネルの位置検出性能が大きく低下してしまう。
【００１０】
本発明は、上記問題点に鑑みなされたものであり、その目的は、インセル型のタッチパネル機能付き液晶表示装置において、センサ電極（位置検出電極）の駆動負荷を低減することにより位置検出性能を高めることにある。
【課題を解決するための手段】
【００１１】
本発明に係る液晶表示装置は、上記の課題を解決するために、
静電容量の変化により検出対象物の指示座標の位置を検出する、タッチパネル機能を有する液晶表示装置であって、
アクティブマトリクス基板と、対向基板と、両基板間に配された液晶層と、該液晶層に電圧を印加するための画素電極および対向電極と、上記指示座標の位置を検出するための駆動電極および検知電極と、該駆動電極に電気的に接続された駆動電極用補助配線と、該検知電極に電気的に接続された検知電極用補助配線とを備え、
各画素には、複数のドメインが形成されており、
上記駆動電極用補助配線および上記検知電極用補助配線の少なくとも何れか一方は、当該液晶表示装置を平面的に見て、上記複数のドメインの境界に重なるように設けられていることを特徴とする。
【００１２】
上記の構成によれば、駆動電極用補助配線および検知電極用補助配線を配置することにより、センサ電極（位置検出電極）としての、検知電極および駆動電極の配線抵抗を低減することができるため、センサ電極の駆動負荷を低減することができる。よって、ＳＮ比の低下を抑えることができるため、従来の構成（図１５参照）と比較して、タッチパネルの位置検出性能を高めることができる。また、駆動電極用補助配線および検知電極用補助配線は、ドメイン境界で発生する暗線に重なるように設けられているため、透過率の低下を招くこともない。
【００１３】
上記液晶表示装置では、上記駆動電極用補助配線および上記検知電極用補助配線の線幅は、上記ドメインの境界に発生する暗線の線幅よりも狭いことが好ましい。
【００１４】
上記液晶表示装置では、上記駆動電極用補助配線および上記検知電極用補助配線は、当該液晶表示装置を平面的に見て、互いに直交するように配置されているとともに、上記駆動電極用補助配線および上記検知電極用補助配線の一方は、Ｎ（Ｎは１以上かつカラーフィルタを構成する色の数以下の整数）画素ごとに等間隔に配置され、上記駆動電極用補助配線および上記検知電極用補助配線の他方は、１画素ごとに等間隔に配置されている構成とすることもできる。
【００１５】
上記液晶表示装置では、上記画素電極および上記対向電極の少なくとも何れか一方には、上記液晶層の液晶分子の配向を制御するためのスリットが設けられていることが好ましい。
【００１６】
これにより、容易にマルチドメイン化を図ることができる。
【００１７】
上記液晶表示装置では、上記スリットは、各画素において、画素の中心から画素の端部へ向かって放射状に形成されている構成とすることもできる。
【００１８】
上記液晶表示装置では、上記スリットは、少なくとも互いに異なる２つの方向に形成されている構成とすることもできる。
【００１９】
上記液晶表示装置では、上記画素電極および上記対向電極はそれぞれ、櫛型状に形成されており、複数の櫛歯状電極を有するとともに互いの櫛歯状電極が噛み合うように配置されている構成とすることもできる。
【発明の効果】
【００２０】
以上のように、本発明に係る液晶表示装置は、上記対向電極に、上記液晶層の液晶分子の配向を制御するためのスリットが設けられている構成である。これにより、インセル型のタッチパネル機能付き液晶表示装置において、センサ電極（位置検出電極）の駆動負荷を低減することにより位置検出性能を高めることができる。
【図面の簡単な説明】
【００２１】
【図１】本発明の一実施の形態（実施例１）に係る液晶表示装置の概略構成を示す断面図である。
【図２】実施例１に係る液晶パネルの一部を示す平面図である。
【図３】実施例１に係る液晶パネルの広域を示す平面図である。
【図４】静電容量方式のタッチパネルの一例を示す平面図であり、（ａ）はタッチパネルの電極構成を説明するための平面図であり、（ｂ）は（ａ）のＡ−Ｂ断面図であり、（ｃ）はタッチパネルに指がタッチされた時のタッチパネルの動作を説明するための図である。
【図５】図２のＣ−Ｄ断面図である。
【図６】実施例２に係る液晶パネルの一部を示す平面図である。
【図７】図６のＡ−Ｂ断面図である。
【図８】図６のＣ−Ｄ断面図である。
【図９】実施例３に係る液晶パネルの一部を示す平面図である。
【図１０】図９のＡ−Ｂ断面図である。
【図１１】実施例４に係る液晶パネルの一部を示す平面図である。
【図１２】図１１のＡ−Ｂ断面図である。
【図１３】実施例５に係る液晶パネルの一部を示す平面図である。
【図１４】図１３のＡ−Ｂ断面図である。
【図１５】特許文献１に記載の表示装置の概略構成を示す断面図である。
【図１６】図１５に示すＡ−Ｂ線に沿った断面から見たセンサ電極の構成を示す平面図である。
【発明を実施するための形態】
【００２２】
本発明に係るインセル型のタッチパネル機能を有する液晶表示装置（以下、液晶表示装置という）の一実施の形態について以下に説明する。
【００２３】
図１は、本実施の形態に係る液晶表示装置の概略構成を示す断面図である。図１に示す液晶表示装置１は、通常の画像表示機能と静電容量方式のタッチパネル機能とを兼ね備えた液晶パネル２と、液晶パネル２を駆動する各種駆動回路（データ信号線駆動回路、走査信号線駆動回路等；図示せず）と、液晶パネル２に光を照射するバックライト３とを備えている。
【００２４】
液晶パネル２は、互いに対向する一対の基板（アクティブマトリクス基板４（ＴＦＴ基板）、対向基板５（カラーフィルタ（ＣＦ）基板））の間に液晶層６を挟持させたアクティブマトリクス型の表示パネルである。液晶パネル２では、対向基板５側が観察者（検出対象物）側となり、アクティブマトリクス基板４の背面にバックライト３が配置される。
【００２５】
アクティブマトリクス基板４には、ガラス基板４１上に、走査信号線およびデータ信号線等の各種信号線（図示せず）、トランジスタ（ＴＦＴ）（図示せず）、絶縁膜４２、マトリクス状に並べられた画素に対応した画素電極４３、および、偏光板４４が設けられている。アクティブマトリクス基板４は、周知の構成を適用することができる。
【００２６】
対向基板５には、画像表示機能を実現するための構成に加えて、タッチパネル機能を実現するための構成が設けられている。以下では、液晶表示装置の具体的な構成例について説明する。
【００２７】
（実施例１）
実施例１に係る液晶表示装置は、図１に示すとおりである。図２は、実施例１に係る液晶パネル２の一部を示す平面図である。なお、図１に示す断面図は、図２のＡ−Ｂ断面を示している。また、図３には、実施例１に係る液晶パネル２の広域を示している。なお、図２では３つの画素に対応する部分を示しているが、画素構造はこれに限定されず、図２が１つの画素を示し、この１画素が３つの副画素（Ｒ副画素、Ｇ副画素、Ｂ副画素）を含んで構成されていても良い。また、各画素が複数の画素電極を含み、画素分割構造を有していても良い。
【００２８】
対向基板５は、ガラス基板１１、位置検出電極（センサ電極）としての複数の検知電極１２および複数の駆動電極１３、検知電極用補助配線１２ａ、駆動電極用補助配線１３ａ、第１絶縁膜１４、第２絶縁膜１５、ブラックマトリクス（図示せず）、カラーフィルタ層（図示せず）、対向電極１６、および、偏光板１７を備えている。
【００２９】
図３に示すように、液晶パネル２を平面的に見て、検知電極１２（薄いグレー色で示す部分）および駆動電極１３（濃いグレー色で示す部分）はそれぞれ、行方向および列方向に並んで配され、かつ斜め方向に交互に配されている。なお、図１では、便宜上、検知電極１２および駆動電極１３のパターニングは省略している。
【００３０】
検知電極１２および駆動電極１３は、透明な電極であり、例えば、酸化物等の透明導電材料で形成されている。上記透明導電材料としては、例えば、ＩＴＯ（インジウム錫酸化物）、ＩＺＯ（インジウム亜鉛酸化物）、酸化亜鉛、酸化スズ等が挙げられる。また、検知電極１２および駆動電極１３は、グラフェン等の金属薄膜電極、あるいは、薄膜のカーボン電極等、薄膜とすることで透明状態を有する透明な電極であっても良い。
【００３１】
また、図１では、検知電極１２および駆動電極１３は、互いに異なる層に形成されているが、これに限定されず、互いに同一の層に形成されていても良い。検知電極１２および駆動電極１３が同一層に形成される構成では、何れか一方（検知電極１２または駆動電極１３）の複数の電極が、互いにブリッジ接続されている。また、検知電極１２および駆動電極１３の配置が互いに入れ替わっていても良い。
【００３２】
検知電極１２および駆動電極１３により、静電容量方式のタッチパネル機能が実現される。ここで、静電容量方式のタッチパネルの動作原理について、図４を用いて説明する。
【００３３】
図４は、静電容量方式のタッチパネルの一例を模式的に示している。図４の（ａ）は、タッチパネルの電極構成を説明するための平面図であり、図４の（ｂ）は、図４の（ａ）のＡ−Ｂ断面図であり、図４の（ｃ）は、タッチパネルに指（検出対象物）がタッチされたときのタッチパネルの動作を説明するための断面図である。なお、図４では、検知電極および駆動電極が、互いに同一の層に形成されている構成を示している。
【００３４】
図４において、符号９０は透明な絶縁体（誘電体）よりなる基板であり、この基板９０の一方の面に複数の駆動電極９１、複数の検知電極９２が設けられている。駆動電極９１および検知電極９２が設けられた面を覆って、カバーガラス９３が設けられている。カバーガラス９３は、所定の誘電率を有する絶縁体、例えば透明なガラスによって構成されている。
【００３５】
図４の（ａ）では、複数の駆動電極９１は、各行毎にＸ軸方向に互いに接続されており、複数の検知電極９２は、各列毎にＹ軸方向に互いに接続されている。なお、何れか一方の複数の電極が、互いにブリッジ接続されている。図４の（ｂ）に示すように、駆動電極９１と検知電極９２に駆動電圧が印加されると、駆動電極９１と検知電極９２との間に、基板９０およびカバーガラス９３を介して静電容量が形成され、図示のような電気力線が形成される。
【００３６】
この状態で図４の（ｃ）に示すように、指先９４がカバーガラス９３の表面にタッチされると、人体を介して接地との間に静電容量Ｃｘが形成され、電気力線の一部は指先９４を介して接地されることになる。これは、指先９４がタッチした部分の駆動電極９１と検知電極９２との間の静電容量が大きく変化したことを示しており、この変化量を検出することによって、指先９４がタッチした位置を検出することができる。
【００３７】
静電容量方式の位置検出方法は、上記の構成に限定されず、周知の方法を用いることができる。すなわち、タッチパネルとして、相互容量方式あるいは自己容量方式を用いることができる。
【００３８】
ここで、液晶パネル２は、画素電極４３および対向電極１６近傍の液晶分子６ａに光配向等によりチルト角が与えられ、複数のドメインを形成するマルチドメイン型のＲＴＮモードである。図２では、液晶分子６ａは、電圧印加により渦巻き状に配向し、各画素において４つのドメインが形成される。ここでは、卍型のドメイン境界６ｂが形成される。なお、液晶パネル２は、４ドメイン型、２ドメイン型、モノドメイン型等、各液晶モードを適用することができる。
【００３９】
検知電極用補助配線１２ａは、検知電極１２に電気的に接続されており、駆動電極用補助配線１３ａは、駆動電極１２に電気的に接続されている。図５には、図２のＣ−Ｄ断面を示している。
【００４０】
検知電極用補助配線１２ａおよび駆動電極用補助配線１３ａは、図１および図５に示すように、液晶パネル２を平面的に見て、ドメイン境界６ｂで発生する暗線６ｃに重なるように設けられている。また、検知電極用補助配線１２ａおよび駆動電極用補助配線１３ａの線幅（横幅）は、暗線６ｃの線幅（横幅）よりも狭くなっている。これにより、透過率の低下を抑制しつつ、検知電極１２および駆動電極１３の配線抵抗を低減することができる。
【００４１】
なお、図２では、十字型に補助配線１２ａ、１３ａを配置しているが、これ以外の暗線部分（例えば画素の端部）に補助配線を配置してもよい。
【００４２】
また、図２および図３に示すように、駆動電極用補助配線１３ａは、３画素ごとに１箇所配置（例えばＢ画素に配置）されているが、これに限定されず、１画素ごとあるいは２画素ごとに１箇所配置されていても良い。画素が赤（Ｒ）、緑（Ｇ）、および青（Ｂ）の３色で構成され、駆動電極用補助配線１３ａが１画素ごとに配置される場合は、Ｒ画素、Ｇ画素、およびＢ画素それぞれに対応して配置されることが好ましい。また、検知電極用補助配線１２ａが列方向に配され、駆動電極用補助配線１３ａが行方向に配されていても良い。
【００４３】
上記のように、補助配線１２ａ、１３ａを配置することにより、検知電極１２および駆動電極１３の配線抵抗を低減することができるため、センサ電極（検知電極１２および駆動電極１３）の駆動負荷を低減することができる。よって、ＳＮ比の低下を抑えることができるため、従来の構成（図１５参照）と比較して、タッチパネルの位置検出性能を高めることができる。また、補助配線１２ａ、１３ａは、ドメイン境界６ｂで発生する暗線６ｃに重なるように設けられているため、透過率の低下を招くこともない。
【００４４】
（実施例２）
図６は、実施例２に係る液晶表示装置１の液晶パネル２の一部を示す平面図である。図７は、図６のＡ−Ｂ断面図であり、図８は、図６のＣ−Ｄ断面図である。
【００４５】
実施例２に係る液晶パネル２では、図６に示すように、画素電極４３に、液晶層６の液晶分子６ａの配向を制御するための複数のスリット４３ｓが形成されている。具体的には、スリット４３ｓは、平面的に見て、各画素において、画素の中心から画素の端部へ向かって放射状に形成されている。また、ドメイン境界６ｂは、画素の中心を通り、かつ行方向および列方向に延伸するように、十字型に形成されている。その他の構成は、実施例１に係る液晶表示装置１と同一である。
【００４６】
実施例２の構成によれば、各画素において、スリット４３ｓが、互いに異なる４つの方向に形成されており、このスリット４３ｓにより配向方向が制御されるため、電圧印加により放射状に液晶分子６ａが配向し、各画素において４つのドメインが形成される。これにより、実施例２に係る液晶表示装置１は、実施例１に係る液晶表示装置１と同様の効果を得ることができる。
【００４７】
（実施例３）
図９は、実施例３に係る液晶表示装置１の液晶パネル２の一部を示す平面図である。図１０は、図９のＡ−Ｂ断面図である。
【００４８】
実施例３に係る液晶パネル２では、図９および図１０に示すように、画素電極４３に、配向制御用の複数のスリット４３ｓが形成され、対向電極１６に、配向制御用の複数のスリット１６ｓが形成されている。スリット４３ｓ、１６ｓは、平面的に見て、「く」の字型に形成されている。具体的には、スリット４３ｓ、１６ｓは、画素の中心を行方向に横切る中心線に対して上下方向（列方向）に対称に、画素の上領域では、右斜め上方向に延びて形成され、画素の下領域では、右斜め下方向に延びて形成されている。このように、スリット１６ｓは、互いに異なる２つの方向に形成されている。これにより、画素電極４３および対向電極１６間に斜め電界が発生し、複数のドメインが形成される（ＰＶＡモード）。
【００４９】
検知電極用補助配線１２ａは、行方向に直線状に形成されるドメイン境界６ｂに生じる暗線６ｃに重なるように形成され、駆動電極用補助配線１３ａは、「く」の字状に形成されるドメイン境界６ｂに生じる暗線６ｃに重なるように形成される。これにより、実施例３に係る液晶表示装置１は、実施例１に係る液晶表示装置１と同様の効果を得ることができる。
【００５０】
なお、図１０では対向電極１６にスリット１６ｓを設けた構成であるが、他の構成として、対向電極１６に突起状の構造物（リブ）を設けても良い（ＭＶＡモード）。
【００５１】
（実施例４）
図１１は、実施例４に係る液晶表示装置１の液晶パネル２の一部を示す平面図である。図１２は、図１１のＡ−Ｂ断面図である。
【００５２】
実施例４に係る液晶パネル２では、図１１および図１２に示すように、画素電極４３および対向電極１６は、ともにアクティブマトリクス基板４上に櫛型形状に形成され、それぞれ行方向に複数の櫛歯状電極４３ａ、１６ａを有している。櫛歯状電極４３ａ、１６ａは、「く」の字状に形成されている。そして、画素電極４３および対向電極１６は、図１１に示すように、互いの櫛歯状電極４３ａ、１６ａが噛み合うように形成されている。すなわち、画素電極４３において、横方向に隣り合う櫛歯状電極４３ａ、４３ａの間に、対向電極１６の櫛歯状電極１６ａが配置されるように形成されている。これにより、、画素電極４３および対向電極１６間に横電界が生じ、複数のドメインが形成される（ＩＰＳモード）。
【００５３】
検知電極用補助配線１２ａは、行方向に直線状に形成されるドメイン境界６ｂに生じる暗線６ｃに重なるように形成されている。これにより、実施例４に係る液晶表示装置１は、実施例１に係る液晶表示装置１と同様の効果を得ることができる。
【００５４】
なお、ＩＰＳモードに係る本液晶パネル２では、対向基板５に対向電極１６は必要ないため、図１２では対向基板５に対向電極１６が配置されていないが、液晶層６や駆動電極１３等から侵入するノイズを低減したり、液晶パネル２の外部から液晶層６へ電荷が侵入して配向乱れが生じることを防止するために、液晶層６と駆動電極１３との間にシールド層を形成してもよい。
【００５５】
また、ＩＰＳモードの場合は通常はドメイン数が２つであるため、ドメイン境界６ｂの暗線６ｃは一か所のみに発生する。よって、図１１では、検知電極用補助配線１２ａをドメイン境界６ｂの暗線６ｃに重ねている。一方、駆動電極用補助配線１３ａは、隣り合う画素の間の領域（図１１参照）、ソースバスラインに重なる領域、あるいは、ブラックマトリクスに重なる領域等、表示無効領域に形成されていてもよい。
【００５６】
（実施例５）
図１３は、実施例５に係る液晶表示装置１の液晶パネル２の一部を示す平面図である。図１４は、図１３のＡ−Ｂ断面図である。
【００５７】
実施例５に係る液晶パネル２では、図１３および図１４に示すように、スリット４３ｓが、画素電極４３に「く」の字型に形成されている。具体的には、スリット４３ｓは、画素の中心を行方向に横切る中心線に対して上下方向（列方向）に対称に、画素の上領域では、右斜め上方向に延びて形成され、画素の下領域では、右斜め下方向に延びて形成されている。このように、スリット４３ｓは、互いに異なる２つの方向に形成されている。実施例５に係る液晶パネル２は、ＦＦＳモードの液晶パネルを構成する。
【００５８】
ＦＦＳモードの場合もＩＰＳモードと同様、画素電極４３のスリット４３ｓに数度の角度をつけることによりマルチドメイン化する。このとき、互いに角度の異なるドメイン境界６ｂに生じる暗線６ｃに重なるように、補助配線１２ａ、１３ａを配置する。これにより、実施例５に係る液晶表示装置１は、実施例１に係る液晶表示装置１と同様の効果を得ることができる。
【００５９】
なお、ＦＦＳモードに係る本液晶パネル２では、アクティブマトリクス基板４に対向電極１６が設けられており、ＩＰＳモードと同様、対向基板５に対向電極１６は必要ない。そのため、図１４では対向電極１６が配置されていないが、液晶層６や駆動電極１３等から侵入するノイズを低減したり、液晶パネル２の外部から液晶層６へ電荷が侵入して配向乱れが生じることを防止するために、液晶層６と駆動電極１３との間にシールド層を形成してもよい。
【００６０】
また、ＦＦＳモードの場合もＩＰＳモードと同様、通常はドメイン数が２つであるため、ドメイン境界６ｂの暗線６ｃは一か所のみに発生する。よって、図１３では、検知電極用補助配線１２ａをドメイン境界６ｂの暗線６ｃに重ねている。一方、駆動電極用補助配線１３ａは、隣り合う画素の間の領域（図１３参照）、ソースバスラインに重なる領域、ブラックマトリクスに重なる領域等の表示無効領域に形成されていてもよい。
【００６１】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【００６２】
本発明のタッチパネル機能を備えた液晶表示装置は、各種携帯端末装置、大型ディスプレイ等に好適である。
【符号の説明】
【００６３】
１      液晶表示装置
２      液晶パネル
３      バックライト
４      アクティブマトリクス基板
５      対向基板
６      液晶層
６ａ    液晶分子
６ｂ    ドメイン境界
６ｃ    暗線
１１    ガラス基板
１２    検知電極（位置検出電極）
１２ａ  検知電極用補助配線
１３    駆動電極（位置検出電極）
１３ａ  駆動電極用補助配線
１４    第１絶縁膜
１５    第２絶縁膜
１６    対向電極
１６ａ  櫛歯状電極
１６ｓ  スリット
１７    偏光板
４１    ガラス基板
４２    絶縁膜
４３    画素電極
４３ａ  櫛歯状電極
４３ｓ  スリット
４４    偏光板
【図１】
2015187754.tif 000003
【図２】
2015187754.tif 000004
【図３】
2015187754.tif 000005
【図４】
2015187754.tif 000006
【図５】
2015187754.tif 000007
【図６】
2015187754.tif 000008
【図７】
2015187754.tif 000009
【図８】
2015187754.tif 000010
【図９】
2015187754.tif 000011
【図１０】
2015187754.tif 000012
【図１１】
2015187754.tif 000013
【図１２】
2015187754.tif 000014
【図１３】
2015187754.tif 000015
【図１４】
2015187754.tif 000016
【図１５】
2015187754.tif 000017
【図１６】
2015187754.tif 000018